(57)【要約】【課題】キャビネットの内部に容易に取り付け可能な引出し式収納体を提供すること。【解決手段】引出しと、同引出しをスライド自在に支持する引出し支持体とを具備し、開口部の外方に扉を備えたキャビネットの内部に配設して、同キャビネットの扉を前記引出しの前壁に取り付けてなるキャビネット内部に配設する引出し式収納体において、引出しは、前壁の左右端部に左・右側壁よりも外方に突出させた突出部を形成し、引出し支持体は、左・右側壁を底壁の前端よりも引出しの前壁の厚さ分だけ後方に配置することによって左・右側壁の前方に前記引出しの突出部を収容する引出し収容部を形成した。【選択図】　　図１
2004089258.tif 000002
【特許請求の範囲】
【請求項１】
引出しと、同引出しをスライド自在に支持する引出し支持体とを具備し、開口部の外方に扉を備えたキャビネットの内部に配設して、同キャビネットの扉を前記引出しの前壁に取り付けてなるキャビネット内部に配設する引出し式収納体であって、
引出しは、前壁の左右端部に左・右側壁よりも外方に突出させた突出部を形成し、引出し支持体は、左・右側壁を底壁の前端よりも引出しの前壁の厚さ分だけ後方に配置することによって左・右側壁の前方に前記引出しの突出部を収容する引出し収容部を形成したことを特徴とするキャビネット内部に配設する引出し式収納体。
【請求項２】
引出しの前壁上端に当接させることによって引出しの取付位置を規定する取付位置規定体を前記キャビネットの扉の背面に配設し、同取付位置規定体にキャビネットの扉と協働して引出しの前壁を狭持する取付補助体を垂設したことを特徴とする請求項１記載のキャビネット内部に配設する引出し式収納体。
【請求項３】
前壁の左右端部に左・右側壁よりも外方に突出させた突出部を形成した引出しと、同引出しをスライド自在に支持するとともに、左・右側壁を底壁の前端よりも引出しの前壁の厚さ分だけ後方に配置することによって左・右側壁の前方に前記引出しの突出部を収容する引出し収容部を形成した引出し支持体とを具備する引出し式収納体をキャビネットの内部に設置する方法であって、
キャビネットの内部に引出し支持体の底壁前端とキャビネットの開口面前端とが揃った状態で引出し支持体を配設する一方、引出しに取り付ける際の基準となる取付基準線をキャビネットの扉の背面に描き入れて、同扉をキャビネットから取り外し、その後、扉の背面に引出しの取付位置を規定する取付位置規定体を前記取付基準線に下端を揃えた状態で配設し、同取付位置規定体に引出しの取り付けを補助するための取付補助体を垂設し、前記取付位置規定体に引出しの前壁上端を当接させると共に、キャビネットの扉と取付補助体とで協働して引出しの前壁を狭持して、引出しの前壁にキャビネットの扉を取り付けることを特徴とする引出し収納体の設置方法。
【発明の詳細な説明】
【０００１】
【発明の属する技術分野】
本発明は、キャビネット内部に配設する引出し式収納体、及び同引出し収納体の設置方法に関するものである。
【０００２】
【従来の技術】
従来より、出し入れ口となる開口部の外方に同開口部を閉塞するための扉を備えたキャビネットは広く普及している。しかし、かかるキャビネットにおいては、奥側の収納物を取り出す際に手前側の収納物が障害となって使い勝手が悪いため、引出し式のスライド収納に作り変えることが増えてきている。
【０００３】
そして、このように既存のキャビネットを引出し式のスライド収納に作り変える場合には、キャビネットの左・右内側面に引出しをスライドさせるための左・右引出し用レールをそれぞれ取り付けて、同左・右引出し用レールにスライド自在に引出しを取り付けていた。
【０００４】
しかし、キャビネットの左・右内側面に左・右引出し用レールを取り付けるには、それぞれのレールを取り付ける高さを等しくする必要があり、引出し用レールの取り付けに手間がかかって手軽にスライド収納に作り変えることはできなかった。
【０００５】
そこで、既存のキャビネットを手軽にスライド収納に作り変えるために、キャビネットの内部に引出し式収納体を配設することが考えられている。かかる引出し式収納体としては、特開２００２−１０１９７８号公報に開示されているように、上壁と底壁と左側壁と右側壁とから矩形状に形成すると共に、左側壁と右側壁とに引出し用レールを取り付けた引出し支持枠と、同引出し支持枠にスライド自在に取り付けた引出しとから構成した引出し式収納体が考えられている。
【０００６】
【発明が解決しようとする課題】
しかし、上記従来の引出し式収納体においては、収納した収納物を取り出すために、まずキャビネットの扉を開けて、さらに引出し式収納体の引出しを開ける必要があり、使い勝手が良好なものではなかった。
【０００７】
そこで、キャビネットの扉を取り外して同扉を引出し式収納体の引出しに取り付けて、キャビネットの開閉と引出し式収納体の開閉とを一体化することも考えられる。その場合には、引出しを閉じたときに、同引出しに取り付けた扉の位置をキャビネットから取り外す前の扉の位置と等しくしないと、キャビネット本体と扉との間に隙間が空いて、見かけが悪くなったり、密閉できなかったりといった不具合が生じる。
【０００８】
そのため、キャビネット内部に引出し式収納体を取り付けるに際しては、引出し式収納体の取付位置を調整する必要が生じ、引出し式収納体をキャビネットに取り付けるに際してその位置調整が難しくなり、取り付けに多大な時間と労力を要するおそれがある。
【０００９】
【課題を解決するための手段】
そこで、本発明は、引出しと、同引出しをスライド自在に支持する引出し支持体とを具備し、開口部の外方に扉を備えたキャビネットの内部に配設して、同キャビネットの扉を前記引出しの前壁に取り付けてなるキャビネット内部に配設する引出し式収納体であって、引出しは、前壁の左右端部に左・右側壁よりも外方に突出させた突出部を形成し、引出し支持体は、左・右側壁を底壁の前端よりも引出しの前壁の厚さ分だけ後方に配置することによって左・右側壁の前方に前記引出しの突出部を収容する引出し収容部を形成したことを特徴とするキャビネット内部に配設する引出し式収納体を提供せんとするものである。
【００１０】
また、本発明は、引出しの前壁上端に当接させることによって引出しの取付位置を規定する取付位置規定体を前記キャビネットの扉の背面に配設し、同取付位置規定体にキャビネットの扉と協働して引出しの前壁を狭持する取付補助体を垂設したことにも特徴を有するものである。
【００１１】
さらに、本発明は、前壁の左右端部に左・右側壁よりも外方に突出させた突出部を形成した引出しと、同引出しをスライド自在に支持するとともに、左・右側壁を底壁の前端よりも引出しの前壁の厚さ分だけ後方に配置することによって左・右側壁の前方に前記引出しの突出部を収容する引出し収容部を形成した引出し支持体とを具備する引出し式収納体をキャビネットの内部に設置する方法であって、キャビネットの内部に引出し支持体の底壁前端とキャビネットの開口面前端とが揃った状態で引出し支持体を配設する一方、引出しに取り付ける際の基準となる取付基準線をキャビネットの扉の背面に描き入れて、同扉をキャビネットから取り外し、その後、扉の背面に引出しの取付位置を規定する取付位置規定体を前記取付基準線に下端を揃えた状態で配設し、同取付位置規定体に引出しの取り付けを補助するための取付補助体を垂設し、前記取付位置規定体に引出しの前壁上端を当接させると共に、キャビネットの扉と取付補助体とで協働して引出しの前壁を狭持して、引出しの前壁にキャビネットの扉を取り付けることを特徴とする引出し収納体の設置方法を提供せんとするものである。
【００１２】
【発明の実施の形態】
本発明に係るキャビネット内部に配設する引出し式収納体は、開口部の外方に扉を備えたキャビネットの内部に配設して、同キャビネットを引出し式のスライド収納として機能させるものであり、引出しと、同引出しをスライド自在に支持する引出し支持体とから構成し、前記引出しの前壁にキャビネットの扉を取り付けたものである。
【００１３】
しかも、引出しは、前壁の左右端部に左・右側壁よりも外方に突出させた突出部を形成し、引出し支持体は、左・右側壁を底壁の前端よりも引出しの前壁の厚さ分だけ後方に配置することによって左・右側壁の前方に前記引出しの突出部を収容する引出し収容部を形成したものである。
【００１４】
従って、引出しを引出し支持体に収めた場合には、引出しの突出部を引出し支持体の左・右側壁で受け止めて、引出しを止めることができる。このように、引出し支持体の左・右側壁を引出しのストッパ代わりにすることができるので、新たなストッパを設ける必要がなく、構成を簡略化して組立ての手間を省くことができるとともに、製造コストを低減することができる。
【００１５】
しかも、引出し支持体の左・右側壁の前方には、引出し収容部を形成しているので、引出しを引き出し支持体に収めた場合には、かかる引出し収容部に引出しの突出部を収容して、引出し支持体の前端と引出しの前端とを同一平面上に位置させることができる。従って、引出し支持体の前端をキャビネットの開口面と同一平面上に位置させれば、引出しの前端もキャビネットの開口面と同一平面上に位置させることができ、キャビネットに引出し支持体を取り付けるに際して、引出しの位置を考慮して位置決めをする必要が無くなり、引出し支持体の取り付けに要する手間を省くことができる。
【００１６】
さらに、引出しの前壁には、キャビネットの扉を取り付けているので、キャビネットの扉を開くことにより同時に引出し式収納体の引出しも開くことができ、同引出しの内部の収納物を容易に出し入れすることが可能となる。
【００１７】
特に、引出しの前壁にキャビネットの扉を取り付けるに際しては、引出しの前壁上端に当接させることによって引出しの取付位置を規定する取付位置規定体を前記キャビネットの扉の背面に配設し、同取付位置規定体にキャビネットの扉と協働して引出しの前壁を狭持する取付補助体を垂設するのが望ましい。
【００１８】
このように、取付位置規定体と取付補助体とを用いれば、引出しの前端を取付位置規定体に当接させるだけで、微妙な調整をすることなく簡単にキャビネットの扉の取付位置を決定することができるとともに、ビス等を用いてキャビネットの扉を引出しに固定しなくても、キャビネットの扉と取付補助体とで引出しの前壁を狭持して、キャビネットの扉を引出しに仮止めすることができ、キャビネットの扉を引出しに取り付ける際の作業性を向上させることができると共に、キャビネットの扉を確実に引出しに取り付けることができる。
【００１９】
さらに、前記取付位置規定体を扉の背面に配設するに際しては、引出しに取り付ける際の基準となる取付基準線をキャビネットの扉の背面に描き入れて、同扉をキャビネットから取り外し、前記取付基準線に下端を揃えた状態で取付位置規定体を扉の背面に配設すれば、微妙な位置調整をすることなく簡単にキャビネットの扉に取付位置規定体を配設することができる。
【００２０】
【実施例】
以下、本発明に係るキャビネット内部に配設する引出し式収納体の一実施例を図面に基づき説明する。
【００２１】
図１は本発明に係る引出し式収納体の一実施例の分解斜視図、図２は同側面図、図３は同平面図である。
【００２２】
本実施例における引出し式収納体Ａ１は、引出し１と、同引出し１をスライド自在に支持する引出し支持体２とから構成している。
【００２３】
引出し１は、矩形板状の底壁１ａと、同底壁１ａの前後左右端に立設した矩形板状の前壁１ｄ及び後壁１ｃ及び左側壁１ｂ及び右側壁１ｂとから上部開口の箱状に形成している。特に、前壁１ｄは、後壁１ｃ及び左・右側壁１ｂ，１ｂよりも上方に伸延させており、しかも、左右端部には、左・右側壁１ｂ，１ｂよりも外方に突出させた左突出部１ｄ−１及び右突出部１ｄ−１を形成している。また、左・右側壁１ｂ，１ｂの外側面下端部には、後述する引出し用レール４に沿って摺動する摺動体３を突設している。
【００２４】
引出し支持体２は、矩形板状の底壁２ａと、同底壁２ａの後端及び左右端に立設した矩形板状の後壁２ｃ及び左側壁２ｂ及び右側壁２ｂとから断面視樋状に形成している。特に、左・右側壁２ｂ，２ｂは、それぞれ底壁２ａの前端よりも引出し１の前壁１ｄの厚さ分だけ後方に配設しており、左側壁２ｂの前方に左引出し収容部２ｂ−１を、右側壁２ｂの前方に右引出し収容部２ｂ−１を形成している。また、左・右側壁２ｂ，２ｂの内側面下端部には、前記引出し１の摺動体３を摺動自在に支持する引出し用レール４を取り付けている。
【００２５】
そして、引出し１を引出し支持体２に収めた際には、引出し１の左右端部に設けた左・右突出部１ｄ−１，１ｄ−１を、引出し支持体２に設けた左・右引出し収容部２ｂ−１，２ｂ−１にそれぞれ収容するとともに引出し支持体２の左・右側壁２ｂ，２ｂの前端でそれぞれ受け止めて、図２に示すように、引出し１の前面と引出し支持体２の前面とが同一平面上に位置するようにしている。図中、ｂはビスである。
【００２６】
また、本実施例では、前記引出し１の前壁１ｄにキャビネットＢの扉Ｂ２を取り付けるために、引出し１の取付位置を規定する取付位置規定体５と引出し１の取り付けを補助する取付補助体６とを用いている。
【００２７】
取付位置規定体５は、水平方向に伸延する角柱状の木材からなり、左右幅及び厚さが引出し１の前壁１ｄと同様となるように形成している。また、取付補助体６は、垂直方向に伸延する板状の金属からなる。
【００２８】
本実施例における引出し式収納体Ａ１は上記構成からなり、以下に説明するようにして開口部の外方に扉を備えたキャビネットの内部に設置する。
【００２９】
例えば、図１に示すように、前面開口のキャビネット本体Ｂ１と、同キャビネット本体Ｂ１の前面開口部の外方に配置して、キャビネット本体Ｂ１に開閉自在に取り付けた扉Ｂ２とからなるキッチン用のキャビネットＢに、上記引出し式収納体Ａ１を配設する場合には、まず、引出し１の前壁１ｄにキャビネットＢの扉Ｂ２を取り付ける。
【００３０】
すなわち、図４（ａ）に示すように、まず、キャビネット本体Ｂ１に取り付けたままの扉Ｂ２の背面に取付基準線ａを描き入れる。この取付基準線ａは、キャビネットＢの扉Ｂ２を引出し式収納体Ａ１の引出し１に取り付ける際の基準となる線であり、同取付基準線ａは、引出し式収納体Ａ１をキャビネット本体Ｂ１に収納したときの引出し１の前壁１ｄの上端と同じ高さに描き入れる。
【００３１】
そして、図４（ｂ）に示すように、キャビネット本体Ｂ１から扉Ｂ２を取り外し、先に扉Ｂ２の背面に描き入れた取付基準線ａに、取付位置規定体５の下端を揃えると共に、扉Ｂ２の左右幅の中心に取付位置規定体５の左右幅の中心を揃えて、キャビネットＢの扉Ｂ２の背面に取付位置規定体５をビス止め等により取り付ける。
【００３２】
続いて、上記取付位置規定体５に、取付補助体６の上端部をビス止め等により取り付けて、取付位置規定体５に取付補助体６を垂設する。
【００３３】
そして、図４（ｃ）に示すように、前記取付位置規定体５の下端に引出し１の前壁１ｄの上端を当接させることにより、引出し１の前壁１ｄの上端を前記取付基準線ａに揃えると共に、取付補助体６とキャビネットＢの扉Ｂ２とで協働して引出し１の前壁１ｄを狭持し、取付補助体６をビス止め等により引出し１の前壁１ｄに取り付け、さらに、キャビネットＢの扉Ｂ２をビス止め等により引出し１の前壁１ｄに取り付ける。
【００３４】
このとき、本実施例では、引出し１の前壁１ｄに引出し１の左・右側壁１ｂ，１ｂよりも外方に突出した左・右突出部１ｄ−１，１ｄ−１を設けているので、図３に示すように、キャビネットＢの扉Ｂ２が四方の框Ｂ３を除いて中空状に形成されていて、框Ｂ３にしか引出し１を取り付けることができなかったとしても、框Ｂ３に引出し１の左・右突出部１ｄ−１，１ｄ−１を当接させて、キャビネットＢの扉Ｂ２に引出し１を取り付けることができる。
【００３５】
次に、キャビネット本体Ｂ１に引出し支持体２を取り付ける。
【００３６】
すなわち、キャビネット本体Ｂ１の内部に引出し支持体２を収納し、同引出し支持体２の底壁２ａ前端をキャビネット本体Ｂ１の前端に揃えるとともに、同引出し支持体２の左右幅の中心をキャビネット本体Ｂ１の左右幅の中心に揃えて、キャビネット本体Ｂ１の底壁に引出し支持体２の底壁２ａをビス止め等により取り付ける。
【００３７】
そして最後に、キャビネット本体Ｂ１に取り付けた引出し支持体２に、キャビネットＢの扉Ｂ２を取り付けた引出し１を引出し用レール４に沿って収める。
【００３８】
このように、本実施例によれば、取付位置規定体５と取付補助体６とを用いて引出し１の前壁１ｄにキャビネットＢの扉Ｂ２を取り付けたので、キャビネットＢの扉Ｂ２を手間をかけることなく簡単に引出し１の前壁１ｄに取り付けることができる。また、引出し１の前壁１ｄの左右端部に左・右突出部１ｄ−１，１ｄ−１を形成し、引出し支持体２の左・右側壁２ｂ，２ｂの前方に引出し１収容部を形成したので、キャビネット本体Ｂ１に引出し支持体２を手間をかけることなく簡単に取り付けることができる。
【００３９】
そして、引出し支持体２に予め引出し用レール４を取り付けているので、同引出し支持体２をキャビネットＢの内部に収納・固定するだけで、既存のキャビネットＢを簡単にスライド収納に作り変えることができる。
【００４０】
図５には、他実施例としての引出し式収納体Ａ２を示しており、この他実施例では、引出し式収納体Ａ２の左右幅、すなわち、引出し支持体２の左右幅と引出し１の左右幅とを、キャビネットＢの２枚分の扉Ｂ２を取り付け可能な長さにして、引出し１の前壁１ｄにキャビネットＢの２枚分の扉Ｂ２を取り付けるようにしている。なお、その他の構成に関しては前記図１〜図４に示す実施例と同様なので同一の符号を付して説明を省略する。
【００４１】
このように、引出し式収納体は、引出し１に取り付けるキャビネットＢの扉Ｂ２の枚数に応じて左右幅を広げたり狭めたりすることができ、引出し１の収納量を変化させることができる。
【００４２】
また、図６にも、他実施例としての引出し式収納体Ａ３を示しており、この他実施例では、引出し支持体２の左・右側壁２ｂ，２ｂを同引出し支持体２に収めた引出し１の左・右側壁１ｂ，１ｂの上端よりも上方に伸延させて、かかる引出し支持体２の左・右側壁２ｂ，２ｂの伸延部分に新たに引出し用レール４を取り付け、同引出し用レール４に沿って新たに引出し１を設けている。
【００４３】
すなわち、引出し支持体２の左・右側壁２ｂ，２ｂの内側面に上下２段の引出し用レール４を取り付けて、各引出し用レール４に沿って引出し１を上下２段に収め、しかも、下段の引出し１の前壁１ｄにキャビネットＢの扉Ｂ２を取り付けている。なお、その他の構成に関しては前記図１〜図４に示す実施例と同様なので同一の符号を付して説明を省略する。
【００４４】
このように、引出し式収納体には、引出し１を多段に設けることができ、用途に応じて適宜引出し１の数を増減させることができる。
【００４５】
なお、キャビネットＢの扉Ｂ２を取り付けた最下段の引出し１を除いて、その他の引出し１は前壁１ｄの左右端に突出部を形成する必要はなく、図６に示すように、前壁１ｄの左右端を左・右側壁１ｂ，１ｂに当接させて、引出し支持体２の内部に前壁１ｄまで全て収納するようにしてよい。
【００４６】
【発明の効果】
本発明は上記のような形態で実施されるもので、以下の効果を奏する。
【００４７】
（１）請求項１記載の本発明では、引出しと、同引出しをスライド自在に支持する引出し支持体とを具備し、開口部の外方に扉を備えたキャビネットの内部に配設して、同キャビネットの扉を前記引出しの前壁に取り付けてなるキャビネット内部に配設する引出し式収納体において、引出しは、前壁の左右端部に左・右側壁よりも外方に突出させた突出部を形成し、引出し支持体は、左・右側壁を底壁の前端よりも引出しの前壁の厚さ分だけ後方に配置することによって左・右側壁の前方に前記引出しの突出部を収容する引出し収容部を形成したので、引出しを引出し支持体に収めた場合には、引出しの突出部を引出し支持体の左・右側壁で受け止めて、引出しを止めることができる。このように、引出し支持体の左・右側壁を引出しのストッパ代わりにすることができるので、新たなストッパを設ける必要がなく、構成を簡略化して組立ての手間を省くことができるとともに、製造コストを低減することができる。
【００４８】
しかも、引出し支持体の左・右側壁の前方には、引出し収容部を形成しているので、引出しを引出し支持体に収めた場合には、かかる引出し収容部に引出しの突出部を収容して、引出し支持体の前端と引出しの前端とを同一平面上に位置させることができる。従って、引出し支持体の前端をキャビネットの開口面と同一平面上に位置させれば、引出しの前端もキャビネットの開口面と同一平面上に位置させることができ、キャビネットに引出し支持体を取り付けるに際して、引出しの位置を考慮して位置決めをする必要が無くなり、引出し支持体の取り付けに要する手間を省くことができる。
【００４９】
さらに、引出しの前壁には、キャビネットの扉を取り付けているので、キャビネットの扉を開くことにより同時に引出し式収納体の引出しも開くことができ、同引出しの内部の収納物を容易に出し入れすることが可能となる。
【００５０】
（２）請求項２記載の本発明では、引出しの前壁上端に当接させることによって引出しの取付位置を規定する取付位置規定体を前記キャビネットの扉の背面に配設し、同取付位置規定体にキャビネットの扉と協働して引出しの前壁を狭持する取付補助体を垂設したので、ビス等を用いてキャビネットの扉を引出しに固定しなくても、キャビネットの扉と取付補助体とで引出しの前壁を狭持して、キャビネットの扉を引出しに仮止めすることができ、キャビネットの扉を引出しに取り付ける際の作業性を向上させることができると共に、キャビネットの扉を確実に引出しに取り付けることができる。
【００５１】
（３）請求項３記載の本発明では、キャビネットの内部に引出し支持体の底壁前端とキャビネットの開口面前端とが揃った状態で引出し支持体を配設する一方、引出しに取り付ける際の基準となる取付基準線をキャビネットの扉の背面に描き入れて、同扉をキャビネットから取り外し、その後、扉の背面に引出しの取付位置を規定する取付位置規定体を前記取付基準線に下端を揃えた状態で配設し、同取付位置規定体に引出しの取り付けを補助するための取付補助体を垂設し、前記取付位置規定体に引出しの前壁上端を当接させると共に、キャビネットの扉と取付補助体とで協働して引出しの前壁を狭持して、引出しの前壁にキャビネットの扉を取り付けるようにしたので、微妙な位置調整をすることなく簡単に取付位置規定体をキャビネットの扉に配設することができると共に、同取付位置規定体に垂設した取付補助体とキャビネットの扉とで引出しの前壁を狭持しながらキャビネットの扉を引出しの前壁に取り付けることができる。従って、キャビネットの扉を引出しに取り付ける際の作業性を向上させることができると共に、キャビネットの扉を確実に引出しに取り付けることができる。そして、引出しを引き出し支持体に収めた場合には、引出し収容部に引出しの突出部を収容して、引出し支持体の前端と引出しの前端とを同一平面上に位置させることができ、引出しに取り付けた扉の位置をキャビネットから取り外す前の扉の位置と等しくすることができる。
【図面の簡単な説明】
【図１】本発明に係る引出し式収納体の一実施例の分解斜視図である。
【図２】同側面図である。
【図３】同平面図である。
【図４】引出しにキャビネットの扉を取り付ける工程を示す図であり、（ａ）は取付位置規定体を取り付けるための取付基準線を扉に描き入れた状態を示す斜視図であり、（ｂ）は扉に取付位置規定体と取付補助体とを取り付けた状態を示す斜視図であり、（ｃ）は引出しに扉を取り付けた状態を示す斜視図である。
【図５】他実施例としての引出し式収納体を示す斜視図である。
【図６】他実施例としての引出し式収納体を示す斜視図である。
【符号の説明】
Ａ１，Ａ２，Ａ３　引出し式収納体
Ｂ　　キャビネット
Ｂ１　　キャビネット本体
Ｂ２　　扉
１　　引出し
１ｄ−１　左突出部
１ｄ−１　右突出部
２　　引出し支持体
２ｂ−１　左引出し収容部
２ｂ−１　右引出し収容部
３　　摺動体
４　　引出し用レール
５　　取付位置規定体
６　　取付補助体
【図１】
2004089258.tif 000003
【図２】
2004089258.tif 000004
【図３】
2004089258.tif 000005
【図４】
2004089258.tif 000006
【図５】
2004089258.tif 000007
【図６】
2004089258.tif 000008